Podtech/llm-jp-corpus-v4-ja_patent huggingface dataset:
(57)【要約】      （修正有）【課題】鍋蓋開閉時、鍋蓋裏の水滴を落とさず安定して鍋蓋を置ける様にする。【解決手段】鍋蓋を開けた時上円部１に鍋蓋を置き、すき間から手を抜く事によって安定して鍋蓋を置ける。鍋蓋の大きさが大きい時は、上下をひっくり返して下円部２に置ける。上円部１と下円部２の大きさを異にする事によって大きさの違う鍋蓋にも使う事ができる。作り方は、材質によってつなぎ目部分を溶接したりカシメたりねじ曲げたり、はめ込んだり、又編んだりできる。これにより、鍋蓋裏の水滴を落とさず、安定して鍋蓋を置ける様にした。【選択図】図１
2005312885.tif 000002
【特許請求の範囲】
【請求項１】
図１の様に▲１▼上円部▲２▼下円部▲３▼支柱のつなぎ目を溶接で止めた鉄製の鍋蓋置き
【請求項２】
請求項１に▲４▼模様支柱をつけたもの
【請求項３】
図３の様に▲５▼穴を開けた木製の鍋蓋置き
【発明の詳細な説明】
【発明の詳細な説明】
〔発明の属する技術分野〕本発明は、鍋蓋を置くためのものである〔従来の技術〕従来、鍋蓋置きはなかった〔発明が解決しようとする課題〕鍋蓋裏の水滴を落とさず安定して鍋蓋を置ける様にする事〔課題を解決するための手段〕従来無かった鍋蓋置きを設置する事〔発明の実施の形態〕本発明は鍋蓋置きを設置する事で鍋蓋裏の水滴を落とさず安定して鍋蓋を置ける様にするための物である。実施例として例えば図１では、鍋蓋を開けた時▲１▼上円部に鍋蓋を置きすき間から手を抜く事によって安定して鍋蓋を置ける。鍋蓋の大きさが大きい時は．上下をひっくり返して▲２▼下円部に置ける。▲１▼上円部▲２▼下円部の大きさを異にする事によって大きさの違う鍋蓋にも使う事ができる。図４の様に▲７▼鍋底の大きさに合わせると収納もし易くなる。鍋の形状によっては、▲６▼鍋蓋に合わせる事もできる。本発明の大きさは任意にできる。図１は、棒又はパイプ状で作った物で図２は▲４▼模様支柱を加えた物である。▲４▼模様支柱は、強度を増すため又色々な模様をつける事により楽しくさせるためである又▲４▼模様支柱のみを支柱としてもいいし▲４▼模様支柱を円状につなぎ合わせてもよい。支柱の数は本発明の大きさによって任意である。作り方は、材質によってつなぎ目部分を溶接したりカシメたりねじ曲げたり、はめ込んだり、又編んだりできる。図３は、風呂おけの底を抜きすき間部をカットし▲５▼穴を開けた物である。▲５▼穴は無くてもいいがあった方が、軽くて持ち易く放熱もよい。▲５▼穴の形は、図３の様な円状でなく、色々な模様にする事もできる。▲５▼穴の数や大きさは、本発明のサイズにより任意である。又本発明に彫刻等で模様をつける事もできる。上述してきた本発明に色をつける事もできる。材質によって塗装、焼き入れできる。材質は、鉄、銅、黄銅、ステンレス、アルミ等の金属製、竹、籐  スギ等の木製、合成樹脂、プラスチック、ゴム等がある。又、本発明と鍋蓋の当たり面やすき間部、支柱、穴にゴムを挿入したり、はめ込んだり接着する事で、手ざわり、ケガの防止又防音の効果を得る事もできる。〔発明の効果〕上述した様に本発明を新設すると  鍋蓋開閉時、鍋蓋裏の水滴を落とさず、安定して鍋蓋が置ける。
【図面の簡単な説明】
【図１】本発明の斜視図
【図２】本発明の斜視図
【図３】本発明の斜視図
【図４】本発明の斜視図
【符号の説明】
▲１▼  上円部▲２▼  下円部▲３▼  支柱▲４▼  模様支柱▲５▼  穴▲６▼  鍋蓋▲７▼  鍋底
【図１】
2005312885.tif 000003
【図２】
2005312885.tif 000004
【図３】
2005312885.tif 000005
【図４】
2005312885.tif 000006
(57)【要約】【課題】  一端が開口された開口縁部に、伸縮自在で偏平状の細い係留紐を設けることによって使用中脱落しない男性用避妊具を提供する。【解決手段】  一端が開口されている円筒であって他端部に液溜部４が設けられている薄いゴム又は柔軟なプラスチック等の弾性材からなる男性用避妊具において、開口された円筒の縁部２に所定長さの偏平状の細い伸縮自在の係留紐３を設けたことを特徴とする脱落防止機構の男性用避妊具。【選択図】    図１
2005312849.tif 000002
【特許請求の範囲】
【請求項１】
一端が開口された円筒であって他端部に液溜部が設けられている薄いゴム又は柔軟なプラスチック等の弾性材からなる男性用の避妊具において、開口された円筒の縁部に所定長さの偏平状の細い伸縮自在の係留紐を設けたことを特徴とする脱落防止機構の男性用避妊具。
【発明の詳細な説明】
【技術分野】
【０００１】  本発明は一端が開口された円筒で薄いゴム又は柔軟なプラスチックからなる男性用避妊具の開口された円筒の縁部に伸縮性の係留紐を設けた脱落防止機構の男性用避妊具に関するものである。
【背景技術】
【０００２】  従来、男性用避妊具（コンド−ム）は加なり以前から各種提供され、全世界に及んでいるが、近年急激な人口の増加を抑制すべく、その対策の一つとして各国が避妊具の普及に力をいれている現況にある。
近時エイズ等の性病が蔓延しつつあり、その対策として避妊具の使用を奨励することによって性病の撲滅を図ろうとする運動が世界的に行なわれ、避妊具の必要性が益々高くなっている。
特に男性用避妊具は安価に大量に提供できることから、更に安全で効率の高いものが期待されている。
【発明の開示】
【発明が解決しようとする課題】
【０００３】  現在使用されている男性用避妊具には必要に応じて異なるサイズのものが提供されているが性能構造的には殆ど差異はないが、使用中に外れたり、終焉直後に脱落することがあり、場合によっては避妊の役割を果たさない事態の発生が懸念されていた。
本発明は男性用避妊具の開口縁部に係留紐を設けることによって、どのような状態の中にあっても外れたり、脱落しないような機構の男性用避妊具を提供することを目的とする。
【課題を解決するための手段】
【０００４】  上記目的を達成するため本発明は、一端が開口された円筒であって他端部に液溜部４が設けられている薄いゴム又は柔軟なプラスチック等の弾性材からなる男性用避妊具１において、開口された円筒の縁部２所定長さで偏平状の細い伸縮自在の係留紐３を設けたものである。
【発明の効果】
【０００５】  上記のように構成された本発明には次のような効果がある。
ａ．勃起した陰茎に嵌着した後、係留紐を睾丸の下側の付け根部分に掛けるので避妊具が外れたり脱落したりするようなことはない。
ｂ．係留紐は伸縮自在で細い偏平状のゴムを利用しているので違和感は殆どなく切れる心配がないので安心した雰囲気が得られる。
ｃ．係留紐は避妊具と同じ材質ものでもよいので、避妊具と一体に成形することができるので従来の避妊具と殆ど変わらない価格で提供できる。
【発明を実施するための最良の形態】
【０００６】  以下、本発明の実施の形態を図面に基づいて説明する。
図１は本発明を使用した際の状態を示す側面図で、図２は使用前の斜視図、図３は係留紐の拡大断面図である。【０００７】  １は男性用避妊具で、薄いゴム又は薄い柔軟なプラスチックで伸縮自在の材質からなり、一端が開口された所定口径で円筒状に形成され、使用前は図２に示したように縁部２と係留紐３を外側に巻き込んで偏平状にし、袋に密封され、密封された状態で販売されている。【０００８】  縁部２は避妊具１を勃起した陰茎５に嵌着する際、巻き込んだ縁部を巻き戻しながら陰茎の付け根部分に達するように挿着する。【０００９】  係留紐３は一本の両端部が対峙するように縁部２に連結され輪状になっているので睾丸６の下側の付け根部分に簡単に引っ掛けられるようになっているが、一旦引っ掛かると伸縮自在の細い偏平状の紐であるため容易に外れないようになっている。【００１０】  ４は避妊具１の先端部に設けられた液溜部で排出された精液が収容されるようになっている。【００１１】  使用済みの避妊具は係留紐を確実に結んでおくことによって液溜部４の内容物は密封される。
【図面の簡単な説明】
【００１２】
【図１】本発明を使用した際の状態を示す側面図
【図２】本発明の使用前の斜視図
【図３】係留紐の拡大断面図
【符号の説明】
【００１３】１  避妊具
２  縁部
３  係留紐
４  液溜部
５  陰茎
６  睾丸
【図１】
2005312849.tif 000003
【図２】
2005312849.tif 000004
【図３】
2005312849.tif 000005
(57)【要約】【課題】  市販の紙製フィルタを使用して、トリップ方式で入れるコーヒーを注出することができ、市販されている好みのコーヒー豆粉を使用して、しかもカップへのセットが簡単で、コーヒー抽出後の廃棄も容易にできる濾過フィルタ支持具を提供する。【解決手段】Ｕ状の本体１からなり、両先端を尖部３を介して、市販の紙製フィルタ上部を貫通させ、Ｕ状の本体湾曲部分に握り部２を得るように構成した濾過フィルタ支持具。【選択図】      図１
2005312850.tif 000002
【特許請求の範囲】
【請求項１】
Ｕ状の本体（１）からなり、両先端を尖部（３）とし、Ｕ状の湾曲部分に握り部（２）を形成したことを特徴とする濾過フィルタ支持具。
【請求項２】
Ｕ状の湾曲部分に握り部（２）を形成せず、Ｕ状の本体（１）と、両先端を尖部（３）としことを特徴とする請求項１記載の濾過フィルタ支持具。
【発明の詳細な説明】
【技術分野】
【０００１】  本発明は、市販の紙製濾過フィルタを用いて、カップ等の容器に係り止めする濾過フィルタ支持具に関するものである。
【背景技術】
【０００２】  現在、市販されているコーヒー粉末からコーヒーを抽出方法としては、大きく２つの方法に大別される。一つは、カップの上に容器を載せ、その中に紙製濾過フィルタを入れコーヒー粉末を入れ熱湯を注ぐ方法と、そして、もう一つは袋状のフィルタに支持片が固定されて、カップに支持片を掛け止めし、袋状フィルタ上部を開口してコーヒー粉末を入れ熱湯を注ぐ方法のものが用いられている。【０００３】  カップの上に容器を載せ行う方法は、複数分のコーヒーを抽出するときは便利だが、一人分を入れるときは不向きで準備に時間がかかり、後始末も使用した容器を洗う作業があり、手軽さに欠けている。（例えば、特開平１０−２８６１８１号公報参照）【０００４】  もう一方の袋状のフィルタに支持片が固定されて、カップに支持片を掛け止めし、袋状フィルタ上部を開口してコーヒー粉末を入れ熱湯を注ぐ方法は、袋状のフィルタに支持片が固定されている分、１個当たりのコストが高く、しかもコーヒー粉末をフィルタ上部開口から入れると開口が狭く入れづらく、ときには開口からこぼれたりして慎重になり準備に時間がかかっている。また、袋状フィルタ内にすでにコーヒー粉末が充填されているものも、コーヒー粉末が充填されている分余計にコストが高く、しかもこちらの方はコーヒー粉末をすでに充填されてしまっているため、好みのコーヒー粉末を選ぶのに制限をつけられてしまっている。（例えば、特開２００２−３４７９５号公報参照）
【発明の開示】
【発明が解決しようとする課題】
【０００５】  カップの上に容器を載せ行う方法は、一人分を入れるときは不向きで準備と後始末に時間がかかり、手軽さがない。また、もう一方の袋状のフィルタに支持片が固定されて、カップに支持片を掛け止めする方法は、手軽さはあるが、１個当たりのコストが高く、しかもコーヒー粉末をフィルタ上部開口から入れると開口が狭く入れづらく、ときには開口からこぼれたりして慎重になり準備に時間がかかっている。また、袋状フィルタ内にすでにコーヒー粉末が充填されているものも、コーヒー粉末が充填されている分余計にコストが高く、しかもこちらの方はコーヒー粉末をすでに充填されてしまっているため、好みのコーヒー粉末を選ぶのに制限をつけられてしまっている。【０００６】  本発明は、市販の紙製フィルタを使用して注出することができ、市販されている好みのコーヒー豆粉を使用して、しかもカップへのセットが簡単で、本来のトリップ方式で入れるコーヒーの美味しさを得ることができ、コーヒー抽出後の廃棄も容易にできる濾過フィルタ支持具を提供する。
【課題を解決するための手段】
【０００７】  本発明の濾過フィルタ支持具は、Ｕ状の本体からなり、両先端を尖部とし、Ｕ状の湾曲部分に握り部を形成した支持具を紙製濾過フィルタ上部を貫通させてコーヒーを抽出する。または、Ｕ状の湾曲部分に握り部を形成しないで、Ｕ状の本体と、両先端を尖部とした濾過フィルタ支持具でもよい。
【発明の効果】
【０００８】  本発明は以上のように、市販の紙製フィルタを使用して注出することができ、市販されている好みのコーヒー豆粉を使用して、しかもカップへのセットが簡単で、本来のトリップ方式で入れるコーヒーの美味しさを得ることができ、コーヒー抽出後の廃棄も容易にでき、支持具の洗いも簡単にできる濾過フィルタ支持具である。
【発明を実施するための最良の形態】
【０００９】  濾過フィルタ支持具は、カップの口上部にのせるため、カップより大きくならず、しかもＵ状の間も、コーヒー豆粉を入れるため狭くなりすぎずにする必要がある。
【実施例】
【０００１０】  発明の実施の形態を実施例にもとづき図面を参照して説明する。図１は、本発明の使用状態の説明図である。市販の紙製フィルタに濾過フィルタ支持具を貫通させたものを、カップの口上部に載せ、市販されている好みのコーヒー豆粉を入れて、熱湯を注ぐとトリップ方式で入れるコーヒーの美味しさを得ることができる。コーヒー抽出後の廃棄も濾過フィルタ支持具の握り部を持ち、すでに紙製フィルタ内部のコーヒー豆粉が濡れて重くなっているため、片手で濾過フィルタ支持具を傾けることによって容易に廃棄することができ、しかも支持具は、スプーンを洗う手軽さで洗うことができる。【０００１１】  図２は、本発明の濾過フィルタ支持具の斜視図である。Ｕ状の本体からなり、両先端を尖部とし、Ｕ状の湾曲部分に握り部を形成している。【０００１２】  図３は、市販の紙製フィルタに濾過フィルタ支持具を貫通させた状態を示す斜視図である。濾過フィルタ支持具の両先端を尖部にしてあるため、容易に市販の紙製フィルタを貫通させることができる。また、濾過フィルタ支持具の尖部を予め濡らして紙製フィルタを貫通させると、もっとスムーズに貫通させることができる。【０００１３】  図４は、本発明の濾過フィルタ支持具の正面図である。Ｕ状の本体からなり、両先端を尖部とし、Ｕ状の湾曲部分に握り部を形成している【０００１４】  図５は、請求項２記載の濾過フィルタ支持具の正面図である。Ｕ状の湾曲部分に握り部を形成せず、Ｕ状の本体と、両先端を尖部から形成している。
【図面の簡単な説明】
【図１】本発明の濾過フィルタ支持具の説明図
【図２】本発明の濾過フィルタ支持具の斜視図
【図３】紙製フィルタを貫通した状態を示す斜視図
【図４】本発明の濾過フィルタ支持具の正面図
【図５】請求項２記載の濾過フィルタ支持具の正面図  本発明の使用状態の説明図
【符号の説明】
１本体
２握り部
３尖部
【図１】
2005312850.tif 000003
【図２】
2005312850.tif 000004
【図３】
2005312850.tif 000005
【図４】
2005312850.tif 000006
【図５】
2005312850.tif 000007
(57)【要約】【課題】  従来の電気掃除機では、布団やソファーあるいは絨毯等に住み着くノミやダニ類を吸収しようとしても布団やソファーあるいは絨毯等の繊維にしがみついてしまって、吸引効率が悪い。また、天日干しや布団乾燥機ではノミやダニ類を殺すことはできても吸引することはできない。そこで、ひとつの機械で手間をかけないで効率良く、簡単にノミやダニ類を殺して除去することができる電気掃除機を提供すること。【解決手段】  電気掃除機のヘッド部材の吸い込み開口部の周辺に電熱器と送風ファンを取り付け、電熱器によって熱せられた空気を送風ファンで吹き出し口から布団や絨毯に送り込み、ノミやダニ等の害虫や微生物を熱風で殺し、その死骸などをヘッドの吸い込み開口部より吸引する熱風殺菌機能付電気掃除機である。【選択図】  図２
2005312470.tif 000002
【特許請求の範囲】
【請求項１】
電気掃除機のホース部材の先端に取り付けられた塵埃を吸い込むヘッド部材を有する電気掃除機において、ヘッド部材の吸い込み開口部の周辺に電熱器と、この電熱器により熱せられた空気を送り出す送風ファンと、電熱器及び送風ファンを内部に収容し、外部へ熱せられた空気を吹き出す吹き出し口を有するハウジングを配置していることを特徴とする熱風殺菌装置付電気掃除機。
【発明の詳細な説明】
【技術分野】
【０００１】  本発明は、電熱器で空気を適当な温度に熱して送風ファンで吹き出し口から吹き出すことで、布団やソファーあるいは絨毯等に生息している害虫や微生物等を殺して、その死骸等を吸引する熱風殺菌機能付掃除機に関するものである。
【背景技術】
【０００２】  エアコンや絨毯の普及やペットを飼うなどの生活環境の変化により、布団やソファーあるいは絨毯等にノミやダニ類が繁殖しやすく、喘息やアレルギーの原因になっている。しかし従来の家庭用電気掃除機ではそれらのノミやダニ類を容易に吸引することは難しく、天日干しや布団乾燥機を使用してノミやダニ類の繁殖をおさえるにもかなりの手間と時間を要する。
【発明の開示】
【発明が解決しようとする課題】
【０００３】  従来の電気掃除機では、布団やソファーあるいは絨毯等に住み着くノミやダニ類を吸収しようとしても布団やソファーあるいは絨毯等の繊維にしがみついてしまって、吸引効率が悪い。また、天日干しや布団乾燥機ではノミやダニ類を殺すことはできても吸引することはできない。そこで、ひとつの機械で手間をかけないで効率良く、簡単にノミやダニ類を殺して除去することができる電気掃除機を提供すること。
【課題を解決するための手段】
【０００４】  前期課題電気掃除機のヘッド部材の吸い込み開口部の周辺に電熱器と送風ファンを取り付け、電熱器によって熱せられた空気を送風ファンで吹き出し口から布団や絨毯に送り込み、ノミやダニなどの害虫や微生物を熱風で殺菌し、その死骸などをヘッドの吸い込み開口部より吸引することを要旨とするものである。
【発明の効果】
【０００５】  以上の説明のように、本発明による電気掃除機ヘッド部材の開口部の周辺に電熱器・送風ファンを設置することにより、熱せられた空気による殺菌と死骸等の吸引が同時にでき、布団やソファーあるいは絨毯等を清潔にする。
【発明を実施するための最良の形態】
【実施例】
【０００６】  本発明の一実施の形態による熱風殺菌機能付電気掃除機について、図を参照して説明する。図２は本発明の一実施の形態に係る熱風殺菌機能付電気掃除機の構成を示す斜視図である。熱風殺菌機能付電気掃除機のヘッド部に取り付けられた電熱器８によって空気を適当な温度に調整するため、温度センサーが必要である。【０００７】  送風ファン１０で熱風を、吹き出し口３から布団や絨毯の表面よりなるべく深いところまで送り込むために、送風ファン１０の出力を大きくし、吹き出し口３を狭くする必要がある。【０００８】  熱風殺菌機能付電気掃除機のヘッド部の構成が、動く方向の先端から熱風吹き出し口３、吸引口４の順序にしないとノミやダニの死骸等を吸引する効果が弱くなる。
【産業上の利用可能性】
【０００９】  本発明は布団やソファーあるいは絨毯等の表面に繁殖したノミやダニ等を殺して吸引し、ノミやダニ等による被害を防ぎ、清潔な環境づくりに好適な電気掃除機に関するものである。
【図面の簡単な説明】
【００１０】
【図１】本発明の一実施の形態に係る熱風殺菌機能付電気掃除機の外観構成を示す斜視図である。
【図２】上記実施の形態に係る熱風殺菌機能付電気掃除機のヘッド部材の内部構造を説明する斜視図である。
【図３】上記実施の形態に係る熱風殺菌機能付電気掃除機のヘッド部材の内部構造を説明する図１中Ａ−Ａ線における拡大断面図である。
【図４】上記実施の形態に係る熱風殺菌機能付電気掃除機のヘッド部材の内部構造を説明する平面図である。
【符号の説明】
【００１１】１・・・空気取り入れ口
２・・・ヘッド部材
３・・・熱風吹き出し口
４・・・吸引口
５・・・ホース部材
６・・・手元操作部
７・・・掃除機本体
８・・・電熱線
９・・・モーター
１０・・・送風ファン
１１・・・導線
【図１】
2005312470.tif 000003
【図２】
2005312470.tif 000004
【図３】
2005312470.tif 000005
【図４】
2005312470.tif 000006
(57)【要約】      （修正有）【課題】犬の大小便をされない様にする物である。【解決手段】サンロイドチャンネル（低発泡ＰＶシート）を糸のこミシンで型抜きし、完成品とする。【選択図】図１
2005312417.tif 000002
【特許請求の範囲】
【請求項１】
サンロイドチャンネル（低発泡ＰＶシート）のハイレッド（品番ＲＭＨ５１３）とノングレアレッド（品番ＲＭＫ８１０３−ＦＲ）を糸のこミシンで型抜きし完成品とする。
【発明の詳細な説明】
【技術分野】
【０００１】本発明は、犬の大小便をされない様にする物である。
［背景技術］【０００２】［発明の開示］
［発明が解決しようとする課題］【０００３】家の周り、あるいはガレージ等で、他人の飼い犬に大小便をされない様にする為の物が、今までになかった。本発明は、この問題点を解決する為になされた物である。
［課題を解決するための手段］【０００４】サンロイドチャンネル（低発泡ＰＶシート）を糸のこミシンで型抜きし、完成品とする。
［発明の効果］【０００５】犬の大小便がなくなった。
［発明を実施するための最良の形態］【０００６】以下、本発明の実施の形態について説明する。
（イ）材料は、耐候性、耐水性にすぐれ安定した高品質のサンロイドチャンネル（低発泡ＰＶシート）である。
（ロ）形状は、まず色目はハイレッド（品番ＲＭＨ５１３）とノングレアレッド（品番ＲＭＫ８１０３−ＦＲ）である。
（ハ）取り付け方は、建物の壁面やガレージの壁面に、市販のボンド又は両面テープで張り付ける。
本発明は、以上のような構成で、これを使用するときは、犬の大小便を防ぐ物である。
［実施例１］【０００７】図１のような形である。
【図面の簡単な説明】
【０００８】サイズは横幅１００ｍｍ〜３００ｍｍ、縦１０５ｍｍ〜３２０ｍｍ、厚みは、１５ｍｍ〜５０ｍｍである。
【図１】
2005312417.tif 000003
【手続補正書】
【提出日】平成16年7月26日(2004.7.26)
【手続補正１】
【補正対象書類名】明細書
【補正対象項目名】０００８
【補正方法】変更
【補正の内容】
【０００８】
【図１】平面図。
(57)【要約】【課題】ペット飼育者が死亡等により飼育不可能となってからのペット飼育費用を算出する。【解決手段】入力手段とペットの平均生存期間のペット基準情報を収納したペット基準情報データベース、平均飼育費用のペット飼育経費基準情報を収納したペット飼育経費基準情報データベース、ペット飼育者の平均飼育可能期間のペット飼育者基準情報を収納したペット飼育者基準情報データベース、ペットの種類、性別、年齢、健康状態、飼育環境等の具体的ペット情報を収納したペット情報データベース、ペット飼育者の性別、年齢、健康状態等の具体的飼育者情報を収納したペット飼育者情報データベースによりペット飼育者が飼育不可能になってからのペットの飼育費用を算出する算出手段と算出結果を任意の出力装置に出力する出力手段とよりなるペット生涯飼育費用計算システム。【選択図】図１
2005312413.tif 000002
【特許請求の範囲】
【請求項１】
入力手段とペットの平均生存期間のペット基準情報を収納したペット基準情報データベース、平均飼育費用のペット飼育経費基準情報を収納したペット飼育経費基準情報データベース、ペット飼育者の平均飼育可能期間のペット飼育者基準情報を収納したペット飼育者基準情報データベース、ペットの種類、性別、年齢、健康状態、飼育環境等の具体的ペット情報を収納したペット情報データベース、ペット飼育者の性別、年齢、健康状態等の具体的飼育者情報を収納したペット飼育者情報データベースによりペット飼育者が飼育不可能になってからのペットの飼育費用を算出する算出手段と算出結果を任意の出力装置に出力する出力手段とよりなるペット生涯飼育費用計算システム。
【発明の詳細な説明】
【技術分野】
【０００１】  本発明は、ペットの生存期間とペット飼育者の飼育可能期間から、ペット飼育者が死亡等により飼育不可能となってからのペット飼育費用を算出する方法に関するものである。
【背景技術】
【０００２】  従来、ペット飼育者が飼育不可能になってからのペットの飼育費用を算出するシステムはなかった。
【発明の開示】
【発明が解決しようとする課題】
【０００３】本発明は、ペットの生存期間とペット飼育者の飼育可能期間から、ペット飼育者が飼育不可能となってからのペット飼育費用を算出する方法を新たに考案したものである。
【課題を解決するための手段】
【０００４】入力手段とペットの平均生存期間のペット基準情報を収納したペット基準情報データベース、平均飼育費用のペット飼育経費基準情報を収納したペット飼育経費基準情報データベース、ペット飼育者の平均飼育可能期間のペット飼育者基準情報を収納したペット飼育者基準情報データベース、ペットの種類、性別、年齢、健康状態、飼育環境等の具体的ペット情報を収納したペット情報データベース、ペット飼育者の性別、年齢、健康状態等の具体的飼育者情報を収納したペット飼育者情報データベースによりペット飼育者が飼育不可能になってからのペットの飼育費用を算出する算出手段と算出結果を任意の出力装置に出力する出力手段とよりなる。
【発明の効果】
【０００５】  ペット飼育者が飼育不可能になってからのペットの生涯飼育費用を算出し、この費用を保険料として飼育者に拠出させてペットの飼育費用に充当し、ペットの残りの生活を保証できる。これにより新しい保険産業を創出し、ペット産業の発展、高齢者の生活福祉の向上、動物愛護の推進に寄与する。
【発明を実施するための最良の形態】
【０００６】  記憶装置、制御装置、入力装置および出力装置とより構成される。
記憶装置には入力装置から入力するデータによりペット基準情報データベース、ペット飼育経費基準情報データベース、ペット飼育者基準情報データベース、ペット情報データベースおよびペット飼育者情報データベースが設けられている。
ペット基準情報データベースにはペットの種類、性別の平均生存年数を収納する。
ペット飼育経費基準情報データベースにはペットの種類、性別の平均年間飼育費用を収納する。
ペット飼育者基準情報データベースには人の性別の平均飼育可能年数を収納する。
ペット情報データベースにはペット個々の性別、年齢、健康状態、飼育環境等の具体的情報を収納する。
ペット飼育者情報データベースにはペット飼育者個々の性別、年齢、健康状態等の具体的情報を収納する。
ペットおよびペット飼育者の健康状態は、完全な健康を１として病気の程度により１０段階（１．０，０．９，０．８，０．７，０．６，０．５、０．４，０．３，０．２，０．１）の健康係数として分類して登録する。
ペットの飼育環境は、理想的な環境を１として、室内、室外等により５段階（１．０，０．８，０．６，０．４，０．２）の飼育環境係数として分類して登録する。
これらのデータベースを使用して制御装置でペットの飼育費用を次の手順で算出し、出力装置に出力する。
（イ）ペットの生存年数
（ペットの平均生存年数  −  現在の年齢）  ×  健康係数  ×  飼育環境係数
（ロ）ペット飼育者の飼育可能年数
ペット飼育者の平均飼育可能年数  Ｘ  健康係数
（ハ）ペット飼育者が飼育不可能となってからのペットの生存年数（残り生存年数）
残り生存年数が１年未満のときは１年とする。
ペットの生存年数  −  ペット飼育者の飼育可能年数
（ニ）ペットの残り生存年数の飼育費用
残り生存年数  ×  平均年間飼育費用
（ホ）残り生存年数の飼育費用に管理費を加えて保険料とする。
次に具体例を記述する。
（イ）ペットが２歳のオスの柴犬のケース
ペット基準情報データベースを検索するとこのペットの平均生存年数は１５年である。既に２歳であるから生存期間は１３年であるが、健康係数が０．８、飼育環境係数が１．０なので（１５  −  １３）  ×  ０．８  ×  １．０  ＝  １０．４年となる。
（ロ）人が６７歳の女性のケース
ペット飼育者基準情報データベースを検索するとこの人の平均ペット飼育可能年数は７４年である。
既に６７歳であるからペット飼育可能年数は、７４  −  ６７  ＝  ７年であるが、健康係数が０．９なので、７  ×  ０．９  ＝  ６．３年となる。
（ハ）上記（イ）、（ロ）により、保険者がペットを引き取って飼育する期間は１０．４  −  ６．３  ＝  ４．１年である。
（ニ）ペット飼育経費基準情報データベースを検索すると、このペットの平均年間飼育費用は２６０，０００円である。
よって保険者が負担する飼育費用合計は
２６０，０００円  ×  ４．１年  ＝  １，０６６，０００円である。
１匹当り年間管理費は１００，０００円であるから、
１００，０００円  ×  ４．１年  ＝  ４１０，０００円が管理費合計である。
したがって保険料合計は、
１，０６６，０００円  ＋  ４１０，０００円  ＝  １，４７６，０００円となる。
（ホ）この人の月額保険料として
１，４７６，０００円  ÷  ４．１年  ÷  １２月  ＝  ３０，０００円が算出される。
【図面の簡単な説明】
【０００７】
【図１】本システムの構成図
【図２】ペットのデータ入力およびペット飼育者のデータ入力と保険料出力の概要図
【図３】データ入力から保険料算出までのフローチャート
【図１】
2005312413.tif 000003
【図２】
2005312413.tif 000004
【図３】
2005312413.tif 000005
(57)【要約】      （修正有）【課題】ゴキブリを捕獲し、容易にゴミとして処分できる捕獲器を提供する。【解決手段】掃除機の吸引部分に内部に粘着テープを貼った捕獲器１、２を取付け、掃除機でゴキブリを吸引する。ゴキブリは、捕獲器の粘着テープ部分に捕獲され、そのままゴミとして処分できる。捕獲器は、内部に粘着テープを貼った厚紙製の円筒形の筒１、ゴキブリを吸い込んだ際に掃除機に吸い込まれないように先端を細くして、その内部に粘着テープを貼った厚紙製の円錐筒２，及び吸引を妨げないために円錐筒２の先端に設けた空気穴３で構成する。【選択図】  図１
2005312414.tif 000002
【特許請求の範囲】
【請求項１】
円筒形の紙筒の内部に粘着テープを張り、掃除機の吸引口に挿入しゴキブリを吸引捕獲する器具
【発明の詳細な説明】
【技術分野】
【０００１】    この発明はゴキブリを捕獲し、容易にゴミとして処分できる捕獲器に関するものである。
【背景技術】
【０００２】    従来ゴキブリを処分するには、固定式捕獲器、もしくは、人間による殺傷が主な手段であった。しかし、固定式捕獲器では、ゴキブリが入るのを待つ形態であるので捕獲には限界がある。また、人間が殺傷した場合には屍骸を片付けるのに非常に気分を害し、苦痛を伴う作業であった。
【発明の開示】
【発明が解決しようとする課題】
【０００３】    この苦痛を解消するために掃除機の吸引部分に捕獲器を取り付け捕獲し、そのままゴミとして捨てることを可能にした。
【課題を解決するための手段】
【０００４】    掃除機の吸引部分に内部に粘着質のテープを貼り付けた捕獲器を取り付け掃除機でゴキブリをそのまま吸引する。
【発明の効果】
【０００５】    掃除機でゴキブリを吸い取り、捕獲器の粘着部分に捕獲することが出来そのままゴミとして処分できる。
【発明を実施するための最良の形態】
【０００６】    以下、本発明の実施例について説明する。
（１）    厚紙の円筒形の内部に粘着質のテープを貼り付ける
（２）    ゴキブリを吸い込んだ際に掃除機に吸い込まないように先端を細くする。
（３）    吸引を妨げ無いための空気穴を設ける。
本発明は、以上のような構造でこれを使用するときは、掃除機の吸引口に接続しゴキ    ブリを吸引すればいい。
【実施例】
【産業上の利用可能性】
【図面の簡単な説明】
【図１】本発明の斜視図である。
【符号の説明】
【０００７】  （１）      内部に粘着テープを貼り付けた厚紙製の筒
（２）      内部に粘着テープを貼り付けた厚紙製の円錐筒
（３）      空気を通すための空気穴
【図１】
2005312414.tif 000003
(57)【要約】【課題】本発明はＣＤディスクにマグネットと芳香剤を組み合わせ車のボディー表面に貼る事でカラス及び猫等の動物による泥やキズ等の被害から車を保護する。【解決手段】本発明はＣＤディスク２にゴム状マグネット１を貼り合わせさらに、芳香剤収納キャップ３をもうけ芳香剤５を収納する。これを車、外部ボディー表面につける。これによって形状と光の反射と香によってカラス及び猫等が車に寄り付かなくなり、被害を未然に防止する事ができる。不用な洗車やキズの修復代金等の負担をしなくてすむのに役立。【選択図】図１
2005312415.tif 000002
【特許請求の範囲】
【請求項１】
ＣＤディスクの裏面にマグネットを取付けさらに表の反射する面の中心部に芳香剤をとりけた物（本発明）を車の外部、ボディー表面に貼りつけ、つけこれにより形状と光の反射と香によってカラス及び猫等の害から車を守る事ができる。
車の外部、ボディー表面に、マグネットにより芳香剤を縦、横自由に貼る事が出来る上、脱着自在なところを特徴とする。
カラス、猫よけ芳香剤付マグネット式ディスク
【請求項２】
ゴム状のマグネットと芳香剤を結合させて、あらゆる金属部分に貼る事が出来る方法及び脱着自在なところを特徴とする。
【発明の詳細な説明】
【技術分野】
【０００１】本発明はＣＤデスクにマグネットと芳香剤を取り付けた。
車保護等に関するもの。
【背景技術】
【０００２】車を駐車中において、カラス及猫による外装のキズや泥の被害にあっていた。
【発明の開示】
【発明が解決しようとする課題】
【０００３】車を業とする者や日常生活において車は大使な財産である。カラスや猫による被害は具体的にツメによるキズである。車の価値を下げるばかりでなく莫大な修繕費を必要とする。
又、泥や糞など不必要な洗車代金や時間を要することになる。
本発明は前述の問題点を解決するのである。
【課題を解決するための手段】
【０００４】カラスは、光を反射する物や相手の目の大きさ等により、寄り付かなくなる性質があるのでカラスはＣＤデスクが有効である。
猫はミント系などの香りを嫌う性質があるので寄り付かなくなる。
本発明はＣＤデスクにマグネットと芳香剤を取り付けそれを車の外部ボディー表面に張りつけ上記の性質を利用して問題点を解決している。
【発明の効果】
【０００５】上述の様にカラスや猫等が車によりつかなくなり外装の修繕費や不用な洗車などの被害から車を守ることができる。
又、車のシートの上からも張ることができるのでシート止めとしての効果もある。
【発明を実施するための最良の形態】
【０００６】駐車時、マグネットの面を車の外部、ボディー表面に付ける。
マグネット式なので、縦、横自由に貼れる上脱着自在である。
【実施例】
【０００７】以下、添付図面に従って実施例を説明する。３は半円球状プラスチックに３ａ小さな穴があいていて内側にネジ山が付いていて５芳香剤を収納し４に装着できる。
４は３を固定する為のネジ山。３を右に回して固定してから１ゴム状のマグネット部分をｂ車のボディーに貼る。
【図面の簡単な説明】
【０００８】
【図１】  本発明のカラス猫よけ芳香剤付マグネット式ディスクの一実施例を示す。正面から外観を示した、平面図である。
【図２】  本発明の構造を示した、断面図である。
【図３】  本発明の構造を示した、分解図である。
【符号の説明】
【０００９】１ゴム状のマグネット
２ＣＤディスク（反射面を上向きに使用）
３芳香剤収得キャップ
４ネジ山                              ３ａ、小さい穴        ｂ、車の外部ボディー
５ミント系等の芳香剤
【図１】
2005312415.tif 000003
【図２】
2005312415.tif 000004
【図３】
2005312415.tif 000005
(57)【要約】【課題】  この発明は、常に足首を柔軟にしておくことにより、ちょっとしたつまずきによって転倒し大怪我をするという大事故を未然に防ぐ。又、血管も丈夫になり末端毛細血管まで血行がよくなるので足の冷え症も解消される足首運動器具を提供する。【解決手段】  ペダルの下部に、球体軸受と球体軸受兼カバーで保持された、あらゆる角度に傾動可能な球体支持軸は定位置再現用スプリングによってガードされペダルはたえず定位置に位置することを特徴とする足首運動器具。【選択図】      図１
2005312922.tif 000002
【特許請求の範囲】
【請求項１】
ペダルの下部に、球体軸受と球体軸受兼カバーで保持された、あらゆる角度に傾動可能な球体支持軸は定位置再現用スプリングによってガードされペダルはたえず定位置に位置することを特徴とする足首運動器具。
【発明の詳細な説明】
【技術分野】
【０００１】  この発明は、近年文明が進み過ぎて歩くことが非常に少なくなり、身体を支えるのに一番大切な足首が運動不足の原因で、ちょっとしたつまずきにも対応できず転倒して大怪我をし、又は死につながる大事故になり非常に危険な状況である。そこで、足首を常に柔軟にし、如何なる体勢にも対処できるような足首にするための足首運動器具に関するものである。
【背景技術】
【０００２】  従来より、足首の運動器具としては、足を乗せる板の略中央部に支軸がありその板に足を乗せ、つま先とかかとを前後にシーソー運動させる運動器具であった。
【発明の開示】
【発明が解決しようとする課題】
【０００３】そのために次のような問題があった。
つま先とかかとを交互にシーソー運動させるのみで回転、傾転運動が出来ない運動器具では、足首の前後の筋肉のみの運動であり、足首全体の運動にはならず、あまり効果はない。
本発明はこれらの問題点を解決するためになされたものである。
【課題を解決するための手段】
【０００４】  今その構成を説明すると、
ペダル１の下部に、球体軸受６を設け、球体支持軸４の球体部を球体軸受け兼カバー２によって挟み込む。ペダル１の動きは球体部を支点としているため、左右傾転８、水平傾転回転１１、上下運動９、左右運動１０とあらゆる動きが出来る。又、足を乗せやすく運動しやすいようペダル１には足かけ７の取付け方向を一定にするための球体受軸６、球体受軸兼ペダルカバー２の下側と球体支持軸４の間に、定位置再現用スプリング５を入れる。収納しやすいようにベース板３に設けられた取付ピン１２に脱着することにより分離できる。
本発明は、以上の構成より成る足首運動器具。
【発明の効果】
【０００５】  本発明を使用することによって、両足の足首が別々に、自由に運動を出来るため、足首の筋肉、靱帯等をのばし、常に柔軟な足首を保つことによって、ちょっとしたつまずきにも対応できれば、転倒しなくなり大怪我や運が悪ければ死亡につながる大事故を未然に防ぐことができる。又、血管も柔らかくなり血液の流れも末端の毛細血管まで良くなるので、足の冷え症も解消される。
【発明を実施するための最良の形態】
【０００６】  以下、本発明の形態を説明する。
（イ）足かけ７が取付けられたペダル１の下側に半割り球面穴を加工した球体軸受  ６を設ける。
（ロ）球体支持軸４は、上部先端が球体形状で下部は軸になっており中心部に、取付ピン１２に差し込み固定できるよう位置決め穴を設けている。
（ハ）ペダル１に設けられた球体軸受６は、球体支持軸４の球体部を、半割り球面穴のついた球体軸受兼カバー２によって挟み込み取り付ける。
（ニ）定位置再現用スプリング５は、足がいつでも乗せやすいよう方向を一定にするために球体軸受６、球体軸受兼カバー２の下部と球体支持軸４の間に取付けられ、如何なる運動をした後でも必ず定位置に戻るようになっている。
（ホ）ベース板３に設けられた取付ピン１２は、適位置に二ヶ所あり、そこへ球体支持軸４を差し込み取り付ける
（ヘ）ベース板３とペダル１は球体支持軸４と取付ピン１２の脱着によって二つに分離できるので収納は小スペースで済む。
本発明は、以上の構成よりなり、
本発明を使用するときは、ペダル１と一体に組付けられた定位置再現用スプリング５入り球体支持軸４は、ベース板３の二ヶ所に設けられた取付ピン１２に差し込み、椅子に腰掛けてスリッパを履く要領でペダル１を履き、足首を自由な方向で大きく動かす。
「第二実施の形態」
図３に示すように、ペダル１に突起物１３を設けて足裏を刺激しながら足首運動をすれば健康効果は更に倍増する。
【図面の簡単な説明】
【０００７】
【図１】  本発明の斜視図
【図２】  本発明の部分分解斜視図及び部分断面斜視図
【図３】  本発明の応用例の斜視図
【符号の説明】
【０００８】  １  ペダル
２  球体軸受兼カバー
３  ベース板
４  球体支持軸
５  定位置再現用スプリング
６  球体軸受
７  足かけ
８  左右傾転
９  上下運動
１０  左右運動
１１  水平及び傾転回転
１２  取付ピン
１３  突起物
【図１】
2005312922.tif 000003
【図２】
2005312922.tif 000004
【図３】
2005312922.tif 000005
(57)【要約】【課題】通水性を保持しつつ、植物が生育する培地を形成する土砂等の流出を防止せしめ、また加工性に優れた緑化用・播種用培地を提供する。【解決手段】泥炭に、石膏粉、発根促進用肥料、中性固化材、保水材および水を添加し、固化させた緑化用・播種用培地。この緑化用・播種用培地は、好ましくは泥炭1m3に対して、石膏粉50〜300Kg、発根促進用肥料2〜20Kg、中性固化材10〜80 Kg、保水材1〜10 Kgおよび水100〜600Lを添加し、均一に混合後、10〜100kgf／cm2の圧力で固化させることにより製造される。【特許請求の範囲】
【請求項１】
泥炭に、石膏粉、発根促進用肥料、中性固化材、保水材および水を添加し、固化させた緑化用・播種用培地。
【請求項２】
泥炭1m3に対して、石膏粉50〜300Kg、発根促進用肥料2〜20Kg、中性固化材10〜80 Kg、保水材1〜10 Kgおよび水100〜600Lを添加し、固化させた緑化用・播種用培地。
【請求項３】
透水量が60〜100ml／秒である請求項１または２記載の緑化用・播種用培地。
【請求項４】
泥炭に、石膏粉、発根促進用肥料、中性固化材、保水材および水を添加し、均一に混合後、10〜100kgf／cm2の圧力で固化させることを特徴とする請求項１または２記載の緑化用・播種用培地の製造方法。
【発明の詳細な説明】
【技術分野】
【０００１】
本発明は、緑化用・播種用培地に関する。更に詳しくは、ビルの屋上緑化などに好適に用いられる緑化用・播種用培地に関する。
【背景技術】
【０００２】
ヒートアイランド現象の抑制手段の一つとして、ビル屋上の緑化が推進されている。屋上緑化には、植物が生育する培地を形成する必要があるが、通常用いられる土砂あるいは泥炭、バーミキュライトを敷き詰めたものでは、雨水などによる資材流出が起こり、配水管あるいは環境を汚染するおそれがある。
【０００３】
かかる問題を解決すべく、培地を形成する資材を焼成し、板状あるいはブロック状に成型した植生基板材料などが提案されている。
【特許文献１】特開２００２−３４８１７１号公報
【０００４】
しかるに、この提案では焼成といった工程が必要なため、成型にはコストを要し、成型品は焼成されていることから貫通孔が存在せず、ブロック内に植物根が生長できないといった問題があった。また、焼成品であるため、成型体の強度が強く、目的に応じた形への加工が難しいといった課題もみられた。
【発明の開示】
【発明が解決しようとする課題】
【０００５】
本発明の目的は、通水性を保持しつつ、植物が生育する培地を形成する土砂等の流出を防止せしめ、また加工性に優れた緑化用・播種用培地を提供することにある。
【課題を解決するための手段】
【０００６】
かかる本発明の目的は、泥炭に、石膏粉、発根促進用肥料、中性固化材、保水材および水を添加し、固化させた緑化用・播種用培地によって達成される。この緑化用・播種用培地は、好ましくは泥炭1m3に対して、石膏粉50〜300Kg、発根促進用肥料2〜20Kg、中性固化材10〜80 Kg、保水材1〜10 Kgおよび水100〜600Lを添加し、均一に混合後、10〜100kgf／cm2の圧力で固化させることにより製造される。
【発明の効果】
【０００７】
本発明にかかる緑化用・播種用培地は、土壌に石膏粉、中性固化材、発根促進用肥料および固化材をブレンドし、さらにこれを固化することにより、土壌の流出を防止するとともに、播種時等における労力および加工処理コストの低減を図ることができる。また、土壌として泥炭を用いた場合には、比重も小さくすることが可能となり、ビルの屋上緑化などに有効に用いることができる。
【発明を実施するための最良の形態】
【０００８】
土壌としては、泥炭、土砂、バーミキュライト、廃土などが挙げられるが、好ましくは単位体積当りの比重が低く、保水性、保肥性にすぐれている泥炭が用いられる。泥炭とは、石炭の一種で、石炭化度の最も低いをいい、このような泥炭としては、市販品、例えば理研農産製品シネフミンなどをそのまま用いることができる。
【０００９】
石膏粉は、固化のために用いられ、粉末として粒径が1〜10μm程度のものを用いることができる。
【００１０】
発根促進用肥料としては、堆肥肥料等が用いられ、市販品、例えばEKKアグリサイエンス製品ネバルくんなどをそのまま用いることができる。
【００１１】
中性固化材は、水溶性鉄イオンなどからなる組成を有し、市販品、例えば河北晃樹園製品ナチュールハードなどをそのまま用いることができる。これは、流水等による土砂等の流出を防止し、また培地加工時において成型を容易するといった作用を有する。
【００１２】
保水材としては、ロックウール等が用いられ、市販品、例えば河北晃樹園製品ドリームコスモなどをそのまま用いることができる。これは保水、保肥性の向上のために用いられる。
【００１３】
これらは、泥炭1m3に対して、石膏粉50〜300Kg、好ましくは100〜200Kg、発根促進用肥料2〜20Kg、好ましくは2〜10Kg、中性固化材10〜80 Kg、好ましくは20〜30Kg、保水材1〜10 Kg、好ましくは5〜10Kgの割合で用いられ、これに水100〜600L、好ましくは200〜400Lを加えた流動体をステンレスなどの容器内に投入後、モルタルミキサを用いてよく混ぜ合わせ、混練後、所望の形状、例えば5cm程度の深さを有する正方形、長方形、円形、ハート形、三日月型、十字型、太陽模様等の任意の形状の容器に流し込み、上部より10〜100kgf／cm2、好ましくは20〜40kgf／cm2程度の圧力で、点圧方式により加圧して一定形状に固化させ、成型して用いられる。
【００１４】
成形物は、資材の流出防止、保水力および通水性をバランスよく満たす透水量60〜100ml／秒、その強度が10〜100kgのものが得られる。
【実施例】
【００１５】
次に、実施例について本発明を説明する。
【００１６】
実施例
泥炭1m3に対して、石膏粉(粒径5μm)100Kg、発根促進用肥料(ネバルくん)2Kg、中性固化材(ナチュールハード)20Kg、保水材(ドリームコスモ)5Kgおよび水200Lを添加し、得られた流動体をステンレス製容器内に投入後、モルタルミキサを用いてよく混ぜ合わせ、混練後、5cm程度の深さを有する長方形状の容器に流し込み、上部より30kgf／cm2の圧力で、点圧方式により加圧して一定形状に固化させ、成型した。得られた培地の透水量は、70ml／秒であり、また土壌の流出はみられなかった。
(57)【要約】【課題】  本発明は経口摂取し易い健康剤を提供することを課題とする。【解決手段】  キトサンおよび/ またはキトサン分解物の苦味と渋味をβ−グルカンを配合して緩和し、かつキトサンおよび/ またはキトサン分解物とβ−グルカンとの生理的作用を相乗する。【特許請求の範囲】
【請求項１】
キトサンおよび／またはキトサン分解物と、β−グルカンとを含むことを特徴とする健康剤。
【請求項２】
該β−グルカンはアウレオバンジウムの培養液から得られたβ−グルカン１．３−１．６である請求項１に記載の健康剤。
【発明の詳細な説明】
【技術分野】
【０００１】
本発明は人間や動物の健康を維持あるいは増進させる健康剤に関するものである。
【背景技術】
【０００２】
〔発明の背景〕
キトサンはカニやエビ等の甲殻類や昆虫の殻やイカの脊椎等に多く含まれているキチン質をアルカリで化学処理することによって得られる物質であり、血中コレステロールと中性脂肪を抑え、肝機能障害を防ぎ、ガン細胞の転移を抑制、血糖値を下げ、更に高血圧を下げる作用があり、人間や動物の健康維持、健康増進、あるいは疾病の改善、治療に極めて有用な物質であるとして近年脚光を浴びている。
しかしキトサンやキトサン分解成分には独特の苦味、渋味があり、直接あるいは食品に混合して大量に経口摂取するための大きな障害となっていた。
【０００３】
〔従来の技術〕
キトサンやキトサン分解成分の呈味を改良するための手段として、従来キトサンやキトサン分解物にソーマチンやアルギン酸ナトリウムを添加して苦味や渋味を改良することが提案されている（例えば特許文献１参照）。
【０００４】
【特許文献１】特開２０００−２７０８０９号公報（請求項１）
【発明の開示】
【発明が解決しようとする課題】
【０００５】
ソーマチンは苦味や渋味に対してマスキング効果を有し、アルギン酸ナトリウムはキチンやキトサン分解物に対して凝集作用を有して苦味や渋味を低減する。
しかしソーマチンもアルギン酸ナトリウムも、キトサンやキトサン分解成分の上記生理的作用を増進するものではなく、アルギン酸ナトリウムにあってはキトサンやキトサン分解物を凝集させる結果、それらの生理的作用を阻害するおそれもある。
【課題を解決するための手段】
【０００６】
本発明は、上記従来の課題を解決するための手段として、キトサンおよび／またはキトサン分解物と、β−グルカンとを含む健康剤を提供するものである。
該β−グルカンはアウレオバンジウムの培養液から得られたβ−グルカン１．３−１．６であることが望ましい。
【発明の効果】
【０００７】
〔作用〕
キトサンおよび／またはキトサン分解物は、上記したように血中コレステロールや中性脂肪を抑え、肝機能障害を防いだり、ガン細胞の転移を抑制したり、血糖値や高血圧を下げ血行をよくしたりする作用がある。
β−グルカンは一般にアウレオバンジウムの培養液から得られ、免疫機能を効果的に刺激し活性化したり、抗酸化作用により活性酸素を抑制したり、ガン、喘息、アレルギー、関節炎等の症状も緩和したりする作用を有する他、それ自体まろやかな美味しさがあり、キトサンやキトサン分解物の苦味や渋味をマスキングして緩和する。そしてβ−グルカンは化学的にも安定であり、長期保存にも耐える。
【０００８】
〔効果〕
本発明では、キトサンおよび／またはキトサン分解物の苦味、渋味をβ−グルカンによって緩和するから、食品にある程度の量添加しても食品の味覚が阻害されることがなく、キトサンおよび／またはキトサン分解分と、β−グルカンの相乗した生理的作用が顕著に発揮される健康食品を提供することが出来る。
【発明を実施するための最良の形態】
【０００９】
本発明で使用するキトサンは、一般にカニやエビ等の甲殻類や昆虫の殻やイカの脊椎等キチン質を含む材料を塩酸水溶液によって処理してカルシウムを除去し、更に水酸化ナトリウム水溶液によって処理して蛋白質を除去してキチンを精製し、該キチンに濃水酸化ナトリウム水溶液によって加熱処理して脱アセチル化することによって得られる。通常このようにして得られたキトサンには１５質量％程度のキチンが残存している。更にキトサン分解物はキトサンを酸や酵素で加水分解することによって得られた低分子キチンやキチンオリゴ糖である。
【００１０】
本発明で使用されるβ−グルカンには、β−グルカン１．４、β−グルカン１．６、β−グルカン１．３等があり、β−グルカン１．４はセルロースであり、β−グルカン１．３は抗ガン作用を有する。
通常本発明に使用するβ−グルカンは、水性培地によってアウレオバシジウム菌を培養し、得られた培養液を加熱殺菌することによって得られ、該培養液にはβ−グルカン１．３−１．６が通常１０〜３０質量％含まれている。所望なれば該培養液は加熱殺菌前または後で濾過、遠心分離等で浮遊物を除去してもよい。
【００１１】
本発明の健康剤は上記キトサンおよび／またはキトサン分解物と、上記β−グルカンとを配合することによって得られる。配合比はキトサンおよび／またはキトサン分解物：β−グルカン（純分）が８０：２０〜２０：８０質量比、望ましくは７０：３０〜３０：７０質量比に設定する。β−グルカンが２０質量比に満たない量で含まれていると、β−グルカンの生理的作用が顕著に発揮されず、またキトサンおよび／またはキトサン分解物の苦味や渋味が充分緩和されない。更にキトサンおよび／またはキトサン分解物が２０質量比に満たない量で含まれている場合には、キトサンおよび／またはキトサン分解物の生理的作用が顕著に発揮されない。
【００１２】
上記成分の他、本発明の健康剤には更にビタミン類、ミネラル類、甘味料、香料、着色料等が配合されてもよい。
【００１３】
本発明の健康剤は液剤、錠剤等の形態で直接経口摂取されてもよいし、またコンニャク、ゼリー等のマンナン食品、豆腐、味噌等の大豆食品、うどん、そば等の麺類、パン、ケーキ等の小麦粉食品、ソーセージ、ハム等の食肉加工品、かまぼこ、はんぺん等の魚肉練製品、アイスクリーム、ヨーグルト、チーズ等の乳製品、マヨネーズ、ドレッシング、ソース、醤油、リンゴ酢、米酢等の調味料、ブドウジュース、リンゴジュース、オレンジジュース等の果実ジュース等種々の食品や飲料等に配合されてもよい。また動物や魚類の飼料に配合されてもよい。配合量は通常０．１〜２０質量％程度である。
【産業上の利用可能性】
【００１４】
本発明の健康剤はキトサンおよび／またはキトサン分解物とβ−グルカンとの相乗した生理的作用を有し、かつキトサンおよび／またはキトサン分解物の苦味や渋味がβ−グルカンによって緩和されるから、食品に可成りの量添加しても味覚が害されることがない。